(57)【特許請求の範囲】
【請求項１】
上に幹糸用上縦環と下に幹糸用下縦環と下部に支持棒軸受けとを有した支持棒と、一端に腕棒軸受けと他端に枝糸環とを有した腕棒と、湾曲した中央に湾曲面に直角に屈曲し、更に、斜め下に折り返して腕棒を支えるカギを有したガードと、軸とで構成し、支持棒軸受けと腕棒軸受けとを回動自在に軸で結合し、腕棒をカギに掛けてガードの上下を支持棒に固着することで支持棒と腕棒とがＴ字形となり、枝糸環を引き下げると腕棒とガードとのたわみにより腕棒がカギから外れて軸を芯に回動し垂れ下がることを特徴とする胴突き釣り用テンビン。
【請求項２】
請求項１記載の幹糸用上縦環と幹糸用下縦環とを、腕棒とは反対側に屈曲して向かい合う幹糸用上横環と幹糸用下横環として移動用とすることを特徴とする胴突き釣り用テンビン。
【発明の詳細な説明】
【技術分野】
【０００１】
本発明は、胴突き釣りにおいて、仕掛けの上げ下げで枝糸が幹糸に絡むことを防ぐ方法として、支持棒の上下に幹糸を接続し、支持棒と腕棒とに有する軸受けを軸で回動自在に結合し、支持棒に固着したガードに有するカギで腕棒を支えて支持棒とでＴ字形とし、腕棒に有する枝糸環に針を結んだ枝糸を結んで投入することで、幹糸と枝糸とが離反して沈降し絡むことを防ぐ胴突き釣り用テンビンに関する。更に、釣魚が食い付き引くと腕棒がカギから外れて垂れ下がり変形することを防ぐ胴突き釣り用テンビンに関する。
【背景技術】
【０００２】
長年人気のある船釣りのなかで、幹糸に直接枝糸を結んだ胴突き仕掛けによる釣りで、仕掛けの上げ下ろしで枝糸が幹糸に絡むと解消しながら釣り続け、枝糸の撚れがひどくなると釣果に悪影響を及ぼすので新しい仕掛けに取り替えることを繰り返しているので、枝糸が幹糸に絡むことを防ぐ方法が望まれている。これまでにいろんな形態のテンビンが提案されているその中の１つに、上部に糸掛け部を設けた支持軸の下部に於いて錘支持具を振り子状に運動可能な状態で結合し、錘支持具上部に適度な弾性を有する棒軸を着脱可能な連結手段を設けて結合、更に適度な弾性を有し先端に糸掛け部を設けた軸棒を前記錘支持具に結合した棒軸の先端に、錘支持具及び前記棒軸を結合すると同様にの着脱可能な連結手段を設け結合して成る釣り用天秤が提案されているが、支持軸の下部に結合した錘に軸棒をも結合しているので胴突き仕掛けには使用が困難である（例えば、特許文献１参照）。
【０００３】
この改善策として、仕掛けの上げ下げで枝糸が幹糸に絡むことを防ぎ、釣魚が食い付きにも変形することをも防ぐ、胴突き釣り仕掛けに使えるテンビンが望まれる。
【特許文献１】実開平２−３６９７８号公報
【発明の開示】
【発明が解決しようとする課題】
【０００４】
本発明は、上記従来技術の改善策を解決し、胴突き釣りにおける仕掛けの上げ下ろしに枝糸が幹糸に絡むことを防ぐ胴突き釣り用テンビンを提供することを課題とする。
【課題を解決するための手段】
【０００５】
本発明の胴突き釣り用テンビンは、上記目的を達成し、上に幹糸用上縦環と下に幹糸用下縦環と下部に支持棒軸受けとを有した支持棒と、一端に腕棒軸受けと他端に枝糸環とを有した腕棒と、湾曲した中央に腕棒を支えるカギを有したガードと軸とで構成し、支持棒軸受けと腕棒軸受けとを回動自在に軸で結合し、腕棒をカギに掛けてガードの上下を支持棒に固着することで、ガードと腕棒とのたわみによりカギに腕棒を掛け外しすることができる。
【発明の効果】
【０００６】
本発明によれば、腕棒をカギに掛けてＴ字形に支え、腕棒に有する枝糸環に針を結んだ枝糸を結び投入すると、幹糸と枝糸とが離反して沈降し絡みを防ぐことで、仕掛けの絡みの解消や取替えが不要で限られた釣り時間が有効に使え、釣魚の食い付きも良くなり、更に、釣魚と引き合うと腕棒がカギから外れて軸を芯に回動して垂れ下がることで変形することを防ぎ、一直線になることで運搬をも楽にする。
【発明を実施するための最良の形態】
【０００７】
本発明は、胴突き釣り仕掛け（胴突き釣り仕掛けとは、幹糸の下端にオモリを吊着し、幹糸に間隔をあけて針の付いた枝糸を結んだ仕掛け）に使用する胴突き釣り用テンビン（テンビンとは、沈降時に幹糸とハリスとを離反させて絡むことを防ぐ釣具）で、それを図面について説明すれば、図１は、本発明の胴突き釣り用テンビンが固定用の形態を示す斜視図で、上に幹糸用上縦環１２と下に幹糸用下縦環１３と下部に支持棒軸受け１６とを有した支持棒１１と、一端に腕棒軸受け２３と他端に枝糸環２２とを有する腕棒２１と、湾曲した中央に湾曲面に直角に屈曲し、更に、斜め下に折り返したカギ３１を有したガード３２と、軸４１とで構成し、支持棒軸受け１６と腕棒軸受け２３とを回動自在に軸４１で結合し、腕棒２１をカギ３１に掛けてガード３２の上下を支持棒１１に固着した固定用とする。図２は、図１の腕棒が垂れ下がった形態を示す斜視図で、カギ３１で支えた腕棒２１に有する枝糸環２２を引き下げることで、腕棒２１とガード３２とのたわみにより腕棒２１がカギ３１の支えから外れ、軸４１を芯に腕棒２１が回動し垂れ下がる。図３は、本発明の胴突き釣り用テンビンが移動用の形態を示す斜視図で、支持棒の上下に腕棒とは反対向きで横に屈曲して向かい合う幹糸用上横環１４と幹糸用下横環１５として移動用とする。図４は、本発明の胴突き釣り用テンビンの仕掛けが沈降中の一実施例を示す概念図で、幹糸５１の一端を上に配する移動用の幹糸用上横環１４とゴム管７１と幹糸用下横環１５とを挿通し、下に配する固定用の幹糸用上縦環１２に結び、捨て糸（捨て糸とは、底に掛かったオモリだけを切り捨て、針の付いた仕掛けを残すための糸）５２の一端を幹糸用下縦環１３と、他端をオモリ５３とに結び、上下の枝糸環２２に針８２を結んだ枝糸８１を結び餌９１を付け、上下の間隔はゴム管７１を移動しピン７２を差し込んで止め、腕棒２１をカギ３１でＴ字形に支えて投入すると、腕棒２１がカギ３１の上辺に押し付けられて振り上がりを防ぎ、Ｔ字形を維持することで幹糸５１と枝糸８１とが離反して沈降する。図５は、図４の上に配した胴突き釣り用テンビンを引き下ろした一実施例を示す概念図で、上に配した移動用に食い付いた釣魚９２が枝糸８１を介して枝糸環２２を引き下げてカギ３１から腕棒２１が外れて軸を芯に回動して垂れ下がり、更に、引くことでピン７２を差し込んで止めたゴム管７１を引き下げて、下に配した固定用まで下がる。
【０００８】
こうすることで、仕掛けの絡みの解消や取替えの時間が不要で限られた釣り時間が有効に使え、更に、上に食い付いた釣魚９２が下がり、下に食い付いた釣魚９２とを一緒に玉アミですくうことができ、口の弱い釣魚９２も逃がさずに済み釣果率も上がる胴突き釣り用テンビンである。また、当該具の移動用を１個と固定用を１個での説明をしたが、竿の長さや枝糸８１の長さや枝間隔により全て固定用とすることや移動用の数を増やすことが可能である。
【図面の簡単な説明】
【０００９】
【図１】本発明の胴突き釣り用テンビンが固定用の形態を示す斜視図である。
【図２】図１の腕棒が垂れ下がった形態を示す斜視図である。
【図３】本発明の胴突き釣り用テンビンが移動用の形態を示す斜視図である。
【図４】本発明の胴突き釣り用テンビンの仕掛けが沈降中の一実施例を示す概念図である。
【図５】図４の上に配した移動用の胴突き釣り用テンビンを引き下ろした一実施例を示す概念図である。
【符号の説明】
【００１０】
１１    支持棒
１２    幹糸用上縦環
１３    幹糸用下縦環
１４    幹糸用上横環
１５    幹糸用下横環
１６    支持棒軸受け
２１    腕棒
２２    枝糸環
２３    腕棒軸受け
３１    カギ
３２    ガード
４１    軸
５１    幹糸
５２    捨て糸
５３    オモリ
７１    ゴム管
７２    ピン
８１    枝糸
８２    針
９１    餌
９２    釣魚
【要約】
【課題】  胴突き釣りにおいてテンビンが使えることを可能にする。
【解決手段】  幹糸５１に移動用を上に固定用を下に配した両方に釣魚９２が食い付き枝糸８１を介して枝糸環２２を引き下げると腕棒２１とガード３２とのたわみによりカギ３１から腕棒２１が外れて、支持棒軸受け１６と腕棒軸受け２３とが回動自在に結合した軸４１を芯に腕棒２１が回動して垂れ下がり、更に、上の釣魚９２がピン７２で止めたゴム管７１を引き下げることで、下の固定用まで下がり上下両方の釣魚９２を玉あみですくうことができ、口の弱い釣魚９２も釣り落として逃がさずに済み釣果率が上がる胴突き釣り用テンビンである。その上、腕棒２１をカギ３１で支えて支持棒とをＴ字形にして投入すると、幹糸５１と枝糸８１とが離反して沈降することで絡み解消や取替えが不要で、釣魚９２の食い付きも良くなり、限られた釣り時間を有効に使える。
【選択図】  図５【図１】
0004140658.tif 000002
【図２】
0004140658.tif 000003
【図３】
0004140658.tif 000004
【図４】
0004140658.tif 000005
【図５】
0004140658.tif 000006